(57)【要約】      （修正有）【課題】パルス駆動される電気的遠隔制御インターフェース、そのようなインターフェースを含む設備および衛星を提供する。【解決手段】制御されるべき複数の機能を含む設備機器用のパルス駆動される電気的遠隔制御インターフェースが、複数の機能（ＲＦ  ＯＮ、ＲＦ  ＯＦＦ、ＡＬＣ  ＯＮ、ＡＬＣ  ＯＦＦ、ＦＣＡ  ＵＰ、ＦＣＡ  ＤＯＷＮ、ＧＣＡ  ＵＰ、ＧＣＡ  ＤＯＷＮ、ＳＣＡ  ＵＰ、ＳＣＡ  ＤＯＷＮ、ＩＮＨＩＢＩＴ）から、実施されるべき少なくとも１つの機能を選択するための第１のコマンドライン（ＴＣ−Ｔｙｐｅ、ＴＣ−Ｔｙｐｅ−プラス、ＴＣ−Ｔｙｐｅ−マイナス）に関連する少なくとも第１の指令入力端子と、選択された機能を実行するための第２のコマンドライン（ＥＸＥ、ＥＸＥ−ＵＰ−ＯＮ、ＥＸＥ−ＤＯＷＮ−ＯＦＦ）に関連する少なくとも１つの第２の指令入力端子とを含む。【選択図】図５
2010193448.tif 000002
【特許請求の範囲】
【請求項１】
制御されるべき複数の機能を含む、設備機器用のパルス駆動される電気的遠隔制御インターフェースにおいて、
複数の機能（ＲＦ  ＯＮ、ＲＦ  ＯＦＦ、ＡＬＣ  ＯＮ、ＡＬＣ  ＯＦＦ、ＦＣＡ  ＵＰ、ＦＣＡ  ＤＯＷＮ、ＧＣＡ  ＵＰ、ＧＣＡ  ＤＯＷＮ、ＳＣＡ  ＵＰ、ＳＣＡ  ＤＯＷＮ、ＩＮＨＩＢＩＴ）から、実施されるべき少なくとも１つの機能を選択するための第１のコマンドライン（ＴＣ−Ｔｙｐｅ、ＴＣ−Ｔｙｐｅ−プラス、ＴＣ−Ｔｙｐｅ−マイナス）に関連する少なくとも第１の指令入力端子と、選択された機能を実行するための第２のコマンドライン（ＥＸＥ、ＥＸＥ−ＵＰ−ＯＮ、ＥＸＥ−ＤＯＷＮ−ＯＦＦ）に関連する少なくとも第２の指令入力端子とを含み、各指令入力端子が、アウトバウンドパルスコマンドラインおよびリターンラインに関連し、前記リターンラインは、複数のアウトバウンドラインによって場合により共有されていることを特徴とするインターフェース。
【請求項２】
制御される各機能（ＲＦ  ＯＮ、ＲＦ  ＯＦＦ、ＡＬＣ  ＯＮ、ＡＬＣ  ＯＦＦ、ＦＣＡ  ＵＰ、ＦＣＡ  ＤＯＷＮ、ＧＣＡ  ＵＰ、ＧＣＡ  ＤＯＷＮ、ＳＣＡ  ＵＰ、ＳＣＡ  ＤＯＷＮ、ＩＮＨＩＢＩＴ）が、予め定められた数の連続的な指令パルスによって規定されていることを特徴とする請求項１に記載の電気的インターフェース。
【請求項３】
指令パルス数が、異なる機能（ＲＦ  ＯＮ、ＲＦ  ＯＦＦ、ＡＬＣ  ＯＮ、ＡＬＣ  ＯＦＦ、ＦＣＡ  ＵＰ、ＦＣＡ  ＤＯＷＮ、ＧＣＡ  ＵＰ、ＧＣＡ  ＤＯＷＮ、ＳＣＡ  ＵＰ、ＳＣＡ  ＤＯＷＮ、ＩＮＨＩＢＩＴ）ごとに異なること、および前記電気的インターフェースが、少なくとも１つの機能の選択および前記選択された機能の実行のためにそれぞれ設けられている２つの指令入力端子（ＴＣ−Ｔｙｐｅ、ＥＸＥ）のみを有することを特徴とする請求項２に記載の電気的インターフェース。
【請求項４】
指令パルス数が、第１の方向（ＯＮ、ＵＰ）または第２の方向（ＯＦＦ、ＤＯＷＮ）の実行に対応する同じタイプの異なる各機能（ＲＦ、ＡＬＣ、ＦＣＡ、ＧＣＡ、ＳＣＡ）に対して同一であること、および前記電気的インターフェースが、少なくとも１つの選択指令入力端子（ＴＣ−Ｔｙｐｅ）と、前記第１の方向（ＯＮ、ＵＰ）および前記第２の方向（ＯＦＦ、ＤＯＷＮ）へ前記選択された機能を実行するためにそれぞれ設けられた２つの実行指令入力端子（ＥＸＥ−ＵＰ−ＯＮ、ＥＸＥ−ＤＯＷＮ−ＯＦＦ）とを含むことを特徴とする請求項２に記載の電気的インターフェース。
【請求項５】
２つの選択指令入力端子（ＴＣ−Ｔｙｐｅ−プラス、ＴＣ−Ｔｙｐｅ−マイナス）および２つの実行指令入力端子（ＥＸＥ−ＵＰ−ＯＮ、ＥＸＥ−ＤＯＷＮ−ＯＦＦ）を含み、前記２つの選択指令入力端子（ＴＣ−Ｔｙｐｅ−プラス、ＴＣ−Ｔｙｐｅ−マイナス）は、カウントされる複数のパルスを増加および減少させるためにそれぞれ設けられており、カウントされたパルス数は、前記機能の選択に対応していることを特徴とする請求項４に記載の電気的インターフェース。
【請求項６】
前記実行指令入力端子（ＥＸＥ、ＥＸＥ−ＵＰ−ＯＮ、ＥＸＥ−ＤＯＷＮ−ＯＦＦ）で、機能を実行するための各指令が単一のパルスを含むことを特徴とする請求項１〜５のいずれか一項に記載の電気的インターフェース。
【請求項７】
同じ機能を連続して数回実施することは、同じ指令入力端子（ＥＸＥ、ＥＸＥ−ＵＰ−ＯＮまたはＥＸＥ−ＤＯＷＮ−ＯＦＦ）での複数の連続的なパルスの発生に対応していることを特徴とする請求項６に記載の電気的インターフェース。
【請求項８】
前記選択指令入力端子（ＴＣ−Ｔｙｐｅ、ＴＣ−Ｔｙｐｅ−プラス、ＴＣ−Ｔｙｐｅ−マイナス）によって選択された機能のための前記実行指令パルスが、選択指令入力端子（ＴＣ−Ｔｙｐｅ、ＴＣ−Ｔｙｐｅ−プラス、ＴＣ−Ｔｙｐｅ−マイナス）での機能の選択のための前記パルスの発生後に、実行指令入力端子（ＥＸＥ、ＥＸＥ−ＵＰ−ＯＮ、ＥＸＥ−ＤＯＷＮ−ＯＦＦ）で発生されることを特徴とする請求項６または７に記載の電気的インターフェース。
【請求項９】
請求項１〜８のいずれか一項に記載の電気遠隔制御インターフェースを含む設備機器。
【請求項１０】
請求項９に記載の少なくとも１つの設備機器を含む衛星。
【発明の詳細な説明】
【技術分野】
【０００１】
本発明は、パルス駆動される電気的遠隔制御インターフェース、そのようなインターフェースを含む設備機器および衛星に関する。本発明は、多数の機能を含みかつ多数のパルスコマンド信号を必要とするあらゆる種類の設備、例えば、衛星通信システムに使用された線形ドライバリミッタ増幅器ＬＤＬＡなどの制御に適用される。
【背景技術】
【０００２】
衛星通信システムでは、遠隔制御信号の必要性が高まるにつれ、出力増幅サブシステムなどの一部の設備はますます複雑化してきている。例えば、進行波管増幅器ＴＷＴＡのＤＬＡ（ドライバリミッタ増幅器）機能およびパワーフレキシビリティ（ｐｏｗｅｒ  ｆｌｅｘｉｂｉｌｉｔｙ）機能が、それらを構成するために必要とするパルス指令の数は増大している。この追加的な指令を必要とすることは、シリアルタイプのインターフェースを有する遠隔制御、例えば１６ビットのシリアルコマンドなどを複雑にすることは全くないが、パルス遠隔制御は追加的なコマンドラインを必要とするため、パルス遠隔制御には非常に不利である。実際には現在は、ＬＤＬＡの制御には、１０個の専用インターフェースを介して１０個のパルス指令を与えることを伴う。この多数のコマンドは、遠隔制御システムの複雑性を増大させ、かつ現在の衛星応用におけるものと同程度に、衛星のプラットフォームに取り付けられている設備および導線の割当コストおよび割当重量に影響を及ぼす；各機能を制御するために、各電気制御インターフェースは、その有線のリンクは、アウトバウンドコマンドラインと、関連のリターンラインとを含む有線のリンクからなっているが、いくつかのアウトバウンドコマンドラインが１つのコマンドリターンラインを有することも多い。さらに、現在の電気制御インターフェースは、誤って送信された指令を取り消すことができないという他の欠点を有する。
【発明の概要】
【発明が解決しようとする課題】
【０００３】
本発明の目的は、これらの問題を解決すること、ならびに、駆動されるべき機能数にかかわらずコマンドライン数を制限することを可能にしかつ現在の指令を取り消すことができるようにするパルス駆動される電気的遠隔制御インターフェースを提案することにある。
【課題を解決するための手段】
【０００４】
このために、本発明は、制御されるべき複数の機能を含む、設備機器用のパルス駆動される電気的遠隔制御インターフェースにおいて、複数の機能から、実施されるべき少なくとも１つの機能を選択するための第１のコマンドラインに関連する少なくとも第１の指令入力端子と、選択された機能を実行するための第２のコマンドラインに関連する少なくとも第２の指令入力端子とを含み、各指令入力端子がアウトバウンドパルスコマンドラインおよびリターンラインに関連し、リターンラインが、複数のアウトバウンドラインによって場合により共有されていることを特徴とするインターフェースに関する。
【０００５】
好都合には、制御されるべき各機能は、予め定められた数の連続的な指令パルスによって規定されている。
【０００６】
本発明の一実施形態によれば、指令パルス数は、異なる機能ごとに異なり、かつ電気的インターフェースは、少なくとも１つの機能の選択、および選択された機能の実行のためにそれぞれ設けられた２つの指令入力端子のみを有する。
【０００７】
本発明の別の実施形態によれば、指令パルス数は、第１の方向または第２の方向の実行に対応する同じタイプの異なる機能に対して同一であり、かつ電気的インターフェースは、選択された機能を第１の方向および第２の方向に実行するためにそれぞれ設けられた少なくとも１つの選択指令入力端子および２つの実行指令入力端子を含む。
【０００８】
本発明の別の実施形態よれば、電気的インターフェースは、２つの選択指令入力端子および２つの実行指令入力端子を含み、２つの選択指令入力端子は、カウントされた複数のパルスを増加および減少させるためにそれぞれ設けられており、カウントされたパルス数は、機能の選択に対応している。
【０００９】
優先的に、実行指令入力端子では、機能を実行するための各指令は単一のパルスを有する。この場合、有利にも、同じ機能を連続して数回実施することは、同じ指令入力端子で複数の連続的なパルスを発生することに対応する。
【００１０】
有利には、選択指令入力端子によって選択された機能のための実行指令パルスは、選択指令入力端子での機能の選択のためのパルスの発生後に実行指令入力端子で発生される。
【００１１】
本発明はまた、本発明による電気遠隔制御インターフェースを含む設備機器、および本発明による少なくとも１つの設備機器を含む衛星にも関する。
【００１２】
本発明の他の特定の特徴および利点は、添付の概略的な図を参照することにより、純粋に例示的な非限定的な例として与えられる以下の説明から明白となる。
【図面の簡単な説明】
【００１３】
【図１】従来技術による設備機器用の例示的な電気遠隔制御インターフェースを示す。
【図２】従来技術による設備機器用の例示的な一連のパルス指令信号を示す。
【図３】本発明の第１の実施形態による、３つの指令入力端子を含む、図１の設備用の例示的な電気遠隔制御インターフェースを示す。
【図４】本発明の第１の実施形態による、図２と同じ一連の機能の実施に対応する、図１の設備用の例示的な一連のパルス指令信号を示す。
【図５】本発明の第２の実施形態による、２つの指令入力端子を含む、図１の設備用の例示的な電気遠隔制御インターフェースを示す。
【図６】本発明の第２の実施形態による、図２および図４と同じ一連の機能の実施に対応する、図１の設備用の例示的な一連のパルス指令信号を示す。
【図７】本発明の第３の実施形態による、４つの指令入力端子を含む、図１の設備用の例示的な電気遠隔制御インターフェースを示す。
【図８】本発明の第３の実施形態による、図２、図４および図６と同じ一連の機能の実施に対応する、図１の設備用の例示的な一連のパルス指令信号を示す。
【発明を実施するための形態】
【００１４】
図１に、従来技術による衛星搭載の設備機器用の例示的な遠隔制御インターフェースを示す。インターフェースは、１０個のパルス指令に対応する１０個のコマンド入力端子を含み、各指令入力端子はアウトバウンドパルスコマンドラインおよびリターンラインに関連している。しかしながら、一部の応用では、リターンラインは複数のアウトバウンドラインに共通としてもよい。この例では、遠隔制御インターフェースの指令入力端子を衛星搭載の制御装置、例えばコンピュータにリンクさせ、かつ制御インターフェースからの出力信号を、例えば線形ドライバリミッタ増幅器ＬＤＬＡを含む設備機器に伝送する。線形ドライバリミッタ増幅器ＬＤＬＡを制御するために、無線周波数信号の送信およびこの送信の停止を制御するためにそれぞれ２つの指令入力ＲＦ  ＯＮおよびＲＦ  ＯＦＦが必要である。同様に、ＡＬＣ機能の指令を、ＡＬＣ  ＯＮ指令に対応するＡＬＣモードまたはＡＬＣ  ＯＦＦ指令に対応する固定ゲインモードＦＧＭで実行するために、２つの指令入力ＡＬＣ  ＯＮおよびＡＬＣ  ＯＦＦ（ＡＬＣは自動レベル制御を表す）が必要であり、かつ、ゲイン指令ＦＣＡ  ＵＰおよびＦＣＡ  ＤＯＷＮ（ＦＣＡは、磁束制御減衰器を表す）のそれぞれを実行し、振幅ＧＣＡ  ＵＰおよびＧＣＡ  ＤＯＷＮ（ＧＣＡはゲイン制御減衰器を表す）を調整し、かつリニアライザＳＣＡ  ＵＰおよびＳＣＡ  ＤＯＷＮ（ＳＣＡは設定制御減衰器を表す）を制御するために、３回の２つの指令入力ＵＰ、ＤＯＷＮが必要である。各機能は、２つの特定のコマンドラインにそれぞれ関連する２つの特定の指令入力を必要とし、選択された機能を実行する方向を決定する、すなわち、第１の方向ＯＮもしくはＵＰまたは第２の方向ＯＦＦもしくはＤＯＷＮのどちらに機能を起動させる必要があるか決定することを可能にする。実行される機能の数が多いほど、指令入力端子およびコマンドラインの数が多くなり、コマンドラインの数は、実行される機能数の２倍となる。さらに、このシステムでは指令を取り消すことができない；指令パルスが発せられると、指令は系統的に実行される。図２に示すように、各機能の実行は、この機能に対応する指令入力端子へパルスを発生することによっておよび同じ機能の実行に対応する同一の指令入力端子へいくつかの連続パルスを連続的に数回発生することによって、行われる。さらに、誤りの場合、指令入力端子の１つへパルスを発生した後は、指令入力に発生された各パルスがその指令入力に対応する機能の実行をトリガするため、その機能の実行を取り消すことはできない。図２に示す順序付けは、以下の機能の異なるタイプの複数の実行に対応する：ＲＦ−ＯＦＦ、ＲＦ−ＯＮ、ＧＣＡ−ＤＯＷＮ（減少＝２）、ＡＬＣ−ＯＮ、ＳＣＡ−ＵＰ（増加＝２）、ＦＣＡ−ＤＯＷＮ（減少＝４）、ＦＣＡ−ＵＰ（増加＝１）。既に発生された指令パルスの取り消しに対応するＩＮＨＩＢＩＴ機能は不可能である。
【００１５】
駆動されるべき機能の数に関わらず指令入力端子および関連のコマンドラインの数を制限し、かつ誤りの場合に指令を取り消すことができるようにするために、本発明は、第１および第２の実施形態において、同一の指令入力端子に、各機能に特有の複数のパルスを割当てることからなり、それにより、発生されるパルス数のカウントダウンによって、選択された機能に関わらず同じコマンドラインを使用することにより実行されるべきタイプの機能を選択すること、および選択された機能の実行を開始するために１つまたは２つの他の追加的な指令入力端子のみを使用することが可能となる。
【００１６】
あるいは、機能のタイプを選択するための、指令入力端子に発生されるパルス数を減少させるために、本発明の第３の実施形態に一例として示すように、追加的な選択指令入力端子を使用することも可能である。
【００１７】
図３に、本発明の第１の実施形態による、図１のものと同じＬＤＬＡ設備用の例示的な電気的遠隔制御インターフェースを示す。電気的インターフェースは、最大３つの指令入力端子を含み、各指令入力端子は、アウトバウンドパルスコマンドラインおよびリターンラインに関連している。
【００１８】
第１の指令入力端子に与えられる、ＴＣ−Ｔｙｐｅと呼ばれる第１のコマンドラインの指令は、おそらくＲＦ、ＡＬＣ、ＦＣＡ、ＧＣＡ、ＳＣＡという複数の機能から、実行されるべき少なくとも１つの機能のタイプを選択するためのものである信号から構成されている。ＬＤＬＡ設備のための５つのタイプのコマンド機能を、発生されたがまだ実行されていない最後の指令の取り消しに対応する、ＩＮＨＩＢＩＴ指令と呼ばれる６番目の機能によって補足する。
【００１９】
第２の指令入力端子に与えられる、ＥＸＥ−ＯＮ−ＵＰと呼ばれる第２のコマンドラインの指令は、選択された機能を第１の方向、ＯＮまたはＵＰに起動するための信号からなる。第３の指令入力端子に与えられる、ＥＸＥ−ＤＯＷＮ−ＯＦＦと呼ばれる第３のコマンドラインの指令は、選択された機能を第２の方向、ＯＦＦまたはＤＯＷＮに起動するための信号からなる。第１のコマンドラインＴＣ−Ｔｙｐｅの指令により選択された機能を起動するための信号は、第１のコマンドラインＴＣ−Ｔｙｐｅの指令において選択された機能が発せられた後に、第２または第３のコマンドラインＥＸＥ−ＵＰ−ＯＮ、ＥＸＥ−ＤＯＷＮ−ＯＦＦを介して発せられる。
【００２０】
図４に示すように、本発明のこの第１の実施形態によれば、各機能のタイプは、予め定められた数の連続的な指令パルスによって規定され、このパルスの数は各機能のタイプごとに異なる。それゆえ、所与の数の連続的なパルスは、実行されるべき１つのタイプの機能に対応する。ＴＣ−Ｔｙｐｅラインでのパルス数は無制限であり、条件、ならびに例えば、信頼性制約および／または制御されるべき機能数に関する制約などの制約事項に従って選択される。パルスの幅およびパルス間の間隔を自由に選択し、それらは、動作上の制約または技術的制約によってのみ制限される。この例では、ＲＦ  ＯＮ／ＯＦＦ機能の選択は、単一のパルスを含む指令信号に対応し、ＡＬＣ  ＯＮ／ＯＦＦ機能の選択は、２つの連続的なパルスを有する信号に対応し、およびＦＣＡ、ＳＣＡおよびＧＣＡ機能の選択は、それぞれ３つ、４つおよび５つの連続的なパルスを含む指令信号に対応する。ＩＮＨＩＢＩＴ機能の選択は、他の全ての指令のパルス数よりも多い複数のパルスに対応する。例えば、図４の場合、ＩＮＨＩＢＩＴ機能の選択は、６つの連続的なパルス以上の複数のパルスを含む信号に対応する。
【００２１】
選択された機能のための起動信号ＥＸＥ−ＯＮ−ＵＰおよびＥＸＥ−ＤＯＷＮ−ＯＦＦは、例えば、ＯＮまたはＯＦＦ方向の指令用およびＵＰおよびＤＯＷＮ方向の指令用の単一のパルスを含み得る。この場合、同じ機能を連続的に数回実行することは、同じラインＥＸＥ−ＵＰ−ＯＮまたはＥＸＥ−ＤＯＷＮ−ＯＦＦでいくつかの連続的なパルスを発生することに対応する。例えば、図４では、ＴＣ−ＴｙｐｅＳＣＡ機能に対応するＥＸＥ−ＵＰ−ＯＮラインの２つの連続的なパルスは、ＳＣＡ機能がＵＰ方向に２回実行される必要があることを意味し、それは、ＳＣＡ機能が２ユニットだけ増加することに対応する。次に、ＴＣ−Ｔｙｐｅラインでの機能の選択後にＥＸＥ−ＵＰ−ＯＮまたはＥＸＥ−ＤＯＷＮ−ＯＦＦラインに到達する第１のパルスによって、ＴＣ−Ｔｙｐｅコマンドラインに適応される指令の範囲を定める。選択指令入力端子で発生されるパルスのカウントダウンを電気遠隔制御インターフェースによって実施し、かつ各機能の実行後にリセットする。
【００２２】
同一のＴＣ−Ｔｙｐｅコマンドラインでは、このプロトコルにより、例えば図４に示すように、機能の異なるタイプの複数の実行を自由自在に順番付けることが可能となる。図４に示す機能の順序付けは、図２に示すものとＩＮＨＩＢＩＴ機能を除いて同じであり、以下の機能に対応する：ＲＦ−ＯＦＦ、ＲＦ−ＯＮ、ＧＣＡ−ＤＯＷＮ（減少＝２）、ＩＮＨＩＢＩＴ（現在の指令の取り消し）、ＡＬＣ−ＯＮ、ＳＣＡ−ＵＰ（増加＝２）、ＦＣＡ−ＤＯＷＮ（減少＝４）、ＦＣＡ−ＵＰ（増加＝１）。
【００２３】
このプロトコルによれば、ＴＣ−Ｔｙｐｅコマンドラインは、様々な選択された機能のＯＮタイプの起動指令とＯＦＦタイプの起動指令とを区別したり、またはＵＰタイプの実行指令とＤＯＷＮタイプの実行指令とを区別したりすることは可能ではなく、そのため、電気制御インターフェースに対して、選択された機能を第１の方向ＯＮ／ＵＰまたは第２の方向ＯＦＦ／ＤＯＷＮで実行するための２つの追加的な指令入力端子をそれぞれ加え、そうすることにより、選択された機能を実行すべき方向の決定を可能にすることが必要である。
【００２４】
図５に示す本発明の第２の実施形態によれば、図１のものと同じＬＤＬＡ設備の電気遠隔制御インターフェースは、２つの指令入力端子のみを有し、各指令入力端子は、アウトバウンドパルスコマンドラインおよびリターンラインに関連し、リターンラインは場合により２つのアウトバウンドラインに共通である。ＴＣ−Ｔｙｐｅと呼ばれる第１のコマンドラインは、機能のタイプの選択に対応し、各機能に関連した方向ＯＮおよびＯＦＦならびに方向ＵＰおよびＤＯＷＮは、機能の異なるタイプであるとみなされる。ＥＸＥと呼ばれる第２のコマンドラインは、選択されたタイプの機能の実行の開始に対応する。
【００２５】
図６に、本発明の第２の実施形態による、いくつかの連続的なタイプの機能の実施に対応する指令信号の例示的な順序付けを示す。この例では、ＲＦ  ＯＮおよびＲＦ  ＯＦＦ機能の選択は、それぞれ２つの連続的なパルスおよび３つの連続的なパルスを含む指令信号に対応し、ＡＬＣ  ＯＮおよびＡＬＣ  ＯＦＦ機能の選択は、それぞれ４つの連続的なパルスを有する信号および５つの連続的なパルスを有する信号に対応し、およびＦＣＡ−ＵＰ、ＦＣＡ−ＤＯＷＮ、ＳＣＡ−ＵＰ、ＳＣＡ−ＤＯＷＮ、ＧＣＡ−ＵＰ、ＧＣＡ−ＤＯＷＮの機能の選択は、それぞれ６〜１１個の連続的なパルスを含む指令信号に対応する。ＬＤＬＡ設備のための１０種類のコマンド機能を、発生されているがまだ実行されていない最後の指令を取り消すために設けられたＩＮＨＩＢＩＴ指令に対応する１１番目の機能で補足する。
【００２６】
図６に示す順序付けは、図４に示すものと同一であり、以下の機能に対応する：ＲＦ−ＯＦＦ（１回）、ＲＦ−ＯＮ（１回）、ＧＣＡ−ＤＯＷＮ（減少＝２）、ＩＮＨＩＢＩＴ（現在の指令の取り消し）、ＡＬＣ−ＯＮ（１回）、ＳＣＡ  ＵＰ（増加＝２）、ＦＣＡ−ＤＯＷＮ（減少＝４）、ＦＣＡ−ＵＰ（増加＝１）。
【００２７】
機能のタイプが連続しているときのその機能を実行するための指令信号は、例えば単一のパルスを含み得る。この場合、同じ機能を連続して数回実施することは、同じＥＸＥコマンドラインでいくつかの連続的なパルスを発生することに対応する。次に、ＴＣ−Ｔｙｐｅラインでの機能の起動後にＥＸＥラインに到達する第１のパルスによって、ＴＣ−Ｔｙｐｅコマンドラインに与えられる指令の範囲を定める。選択指令入力ＴＣ−Ｔｙｐｅに発生されたパルスのカウントダウンは、電気遠隔制御インターフェース内部にあるカウントダウン手段（図示せず）によって実施され、かつ各機能の実行後にリセットされる。
【００２８】
それゆえ、本発明のこの第２の実施形態は、最も少数の指令入力端子を有する実施形態であるが、本発明の第１の実施形態よりも使用時の融通性が劣る。なぜなら、同じ機能を、第１の方向に次いで第２の方向に連続的に実行する必要がある場合、実行される機能のタイプを、ＴＣ−Ｔｙｐｅ指令入力端子において連続的に２回示す必要があるためである。
【００２９】
本発明の初めの２つの実施形態では最小数の指令入力端子を提示しているが、一部の応用では、追加的な指令入力端子を有することが望ましい場合もある。第３の実施形態によれば、図１のものと同じＬＤＬＡ設備のための電気遠隔制御インターフェースは、４つの指令入力端子を有する。初めの２つの指令入力端子に与えられる、それぞれＴＣ−Ｔｙｐｅ−プラスおよびＴＣ−Ｔｙｐｅ−マイナスと呼ばれる初めの２つのコマンドラインの指令は、考えられる複数の機能：ＲＦ、ＡＬＣ、ＦＣＡ、ＧＣＡ、ＳＣＡ、ＩＮＨＩＢＩＴから、実施されるべき少なくとも１つのタイプの機能を選択することを目的とした信号からなる。それぞれ第３のおよび第４の指令入力端子に与えられる最後の２つのコマンドラインＥＸＥ−ＯＮ−ＵＰおよびＥＸＥ−ＤＯＷＮ−ＯＦＦの指令は、第１の方向ＯＮもしくはＵＰまたは第２の方向ＯＦＦもしくはＤＯＷＮに、選択された機能を起動する信号からなる。本発明のこの第３の実施形態によれば、選択指令入力端子に対して発生されたパルスのカウントダウンは、各機能の実行後にリセットされず、実行されるべき以下の機能のタイプに依存して、カウントダウンのインクリメントまたはデクリメントを続ける。第１のコマンドラインＴＣ−Ｔｙｐｅ−プラスに適用される各機能により、パルスのカウントダウンをインクリメントすることが可能となり、かつ第２のコマンドラインＴＣ−Ｔｙｐｅ−マイナスに適用される各パルスにより、パルスのカウントダウンをデクリメントすることが可能となる。カウントされるパルス数が、実行される機能数に対応するとき、１つ以上のパルスが、その機能の実行のために設けられた指令入力端子の１つに対して発生される。
【００３０】
図８に、本発明の第３の実施形態による、機能のタイプがいくつかの連続する場合のその機能の実施に対応する指令信号の例示的な順序付けを示す。異なる機能のタイプの順序付けは、図４および図６に示すものと同一であり、以下の機能に対応する：ＲＦ−ＯＦＦ（１回）、ＲＦ−ＯＮ（１回）、ＧＣＡ−ＤＯＷＮ（減少＝２）、ＩＮＨＩＢＩＴ（現在の指令の取り消し）、ＡＬＣ−ＯＮ（１回）、ＳＣＡ−ＵＰ（増加＝２）、ＦＣＡ−ＤＯＷＮ（減少＝４）、ＦＣＡ−ＵＰ（増加＝１）。２つの指令入力ＥＸＥ−ＯＮ−ＵＰおよびＥＸＥ−ＤＯＷＮ−ＯＦＦの実行ラインの働き、および各機能のタイプに割当てられたパルス数は、ＩＮＨＩＢＩＴ機能を除いて、図４に関連して説明したものと同一である。図８の例示的な実施形態では、ＩＮＨＩＢＩＴ機能のパルス数は可変であり、指令入力ＴＣ−Ｔｙｐｅ−プラスまたはＴＣ−Ｔｙｐｅ−マイナスの一方に誤って入力されたパルス数であって、カウントダウン手段によって取り除かれたり追加されたりするパルス数に依存している。あるいは、ＩＮＨＩＢＩＴ機能を、図４および図６の実施形態と同じように、この機能に、他の全ての機能に割当てられたパルスよりも多い複数のパルスを割当てることによって実施することができる。別の相違点は、１つのみのコマンドラインの代わりに２つのコマンドラインの仲介によって実施される、異なるタイプの機能を選択することにある。それゆえ、初めの２つの機能ＲＦ−ＯＦＦ、ＲＦ−ＯＮを実施するために、パルスが、第１の選択コマンドラインＴＣ−Ｔｙｐｅ−プラスに与えられて、値１までカウントダウンされたパルス数をインクリメントし、その後、実行指令入力端子ＥＸＥ−ＤＯＷＮ−ＯＦＦに対してパルスが発生されてから、実行指令入力端子ＥＸＥ−ＵＰ−ＯＮに対してパルスが発生される。次の機能ＧＣＡ−ＤＯＷＮ＝２の実施は、４つの連続パルスを第１の選択コマンドラインＴＣ−Ｔｙｐｅ−プラスに適応し、パルスのカウントダウンを値１から値５にインクリメントし、その後、実行指令入力端子ＥＸＥ−ＤＯＷＮ−ＯＦＦでパルスを連続して２回発生してＧＣＡ−ＤＯＷＮ機能を２回実施することによって処理される。そのとき、第２の選択コマンドラインＴＣ−Ｔｙｐｅ−マイナスで発生された、パルスのカウントダウンが値５から値３にデクリメントされた２つのパルスは、２つのパルスによって中和され、その後それらは第１の選択コマンドラインＴＣ−Ｔｙｐｅ−プラスで発生され、それがＩＮＨＩＢＩＴ機能に対応する。それゆえ、この例示的な実施形態によれば、ＩＮＨＩＢＩＴ機能を実施する実行パルスは必要とされない。カウントダウンされたパルス数は再び値５を有するため、これを３ユニットだけデクリメントさせて値２に落としてそれに続く機能ＡＬＣ−ＯＮを実施する必要があり、その後、２ユニットだけインクリメントさせて値４にして機能ＳＣＡ−ＵＰ＝２を実施し、かつ最終的には再びデクリメントされて値３にして機能ＦＣＡ−ＤＯＷＮ＝４およびＦＣＡ−ＵＰ＝１を実施する。
【００３１】
本発明を特定の実施形態および特定の設備機器に関連して説明してきたが、決して限定するものでなく、本発明の範囲内にあることを条件として、説明した手段およびそれらの組み合わせの技術的等価物を全て含むことは明白である。
【図１】
2010193448.tif 000003
【図２】
2010193448.tif 000004
【図３】
2010193448.tif 000005
【図４】
2010193448.tif 000006
【図５】
2010193448.tif 000007
【図６】
2010193448.tif 000008
【図７】
2010193448.tif 000009
【図８】
2010193448.tif 000010
【外国語明細書】
2010193448000001.pdf